(57)【要約】    【課題】  既存の電子ファイルとして保存されている内容を表示できるようにすることで、手書きで記述する手間を省くことができるメディアボードを提供する。    【解決手段】  文字や図形を手書きによって記述するスクリーンボード部２０に記述された内容をイメージデータとして読み取る読み取り装置５０と、読み取り装置５０で読み取ったイメージデータやその他の既存のイメージデータを保存する、ネットワーク１００を介して接続された外部記憶装置８０と、ネットワーク１００を介して外部記憶装置８０から読み出したイメージデータを、スクリーンボード部２０に表示する出力装置４０を備え、さらに、外部記憶装置に対して、ネットワーク１００を介してイメージデータの送受信を行うインタフェース部６０と、イメージデータの保存、イメージデータの読み込みを制御する制御装置３０と、制御装置３０に対してイメージデータの保存、イメージデータの読み込み指示する入力装置７０を備える。【選択図】    図１
2005268992.tif 000002
【特許請求の範囲】
【請求項１】
文字や図形を手書きによって記述するスクリーンボード部と、
前記スクリーンボード部に記述された内容をイメージデータとして読み取る読み取り装置と、
前記読み取り装置で読み取ったイメージデータやその他の既存のイメージデータを保存する、ネットワークを介して接続された外部記憶装置と、
前記ネットワークを介して前記外部記憶装置から読み出したイメージデータを、前記スクリーンボード部に表示する出力装置とを備えることを特徴とするメディアボード。
【請求項２】
前記外部記憶装置に対して、前記ネットワークを介してイメージデータの送受信を行うインタフェース部を備えることを特徴とする請求項１に記載のメディアボード。
【請求項３】
前記読み取り装置により読み取ったイメージデータの保存、保存されたイメージデータの読み込みによる前記スクリーンボード部への表示を制御する制御装置と、
前記制御装置に対して、イメージデータの保存とイメージデータの読み込みを指示する入力装置を備えることを特徴とする請求項１又は請求項２に記載のメディアボード。
【請求項４】
前記制御装置は、
前記入力装置から入力される、イメージデータの保存又はイメージデータの読み込みの指示、前記外部記憶装置とデータを指定する識別情報に基づいて、
前記読み取り装置を制御して読み取ったイメージデータを前記ネットワークを介して前記外部記憶装置に保存し、又は前記ネットワークを介して前記外部記憶装置から読み込んだイメージデータを前記出力装置を制御して前記スクリーンボード部に表示させることを特徴とする請求項３に記載のメディアボード。
【請求項５】
前記外部記憶装置が、前記ネットワーク上に接続されたハードディスク装置であることを特徴とする請求項１から請求項４の何れか１項に記載のメディアボード。
【請求項６】
前記スクリーンボード部が、ボードマーカによって直接文字や図形を記述するボード、又はタッチペンを用いて文字や図形を電子的に描画する表示部であることを特徴とする請求項１から請求項５の何れか１項に記載のメディアボード。
【請求項７】
前記読み取り装置が、スキャナ装置であり、前記出力装置が、プロジェクタ装置であることを特徴とする請求項１から請求項６の何れか１項に記載のメディアボード。
【請求項８】
前記読み取り装置で読み取ったイメージデータに基づいて、テキスト部分を識別してテキストデータに変換するＯＣＲ装置を備えることを特徴とする請求項１から請求項７の何れか１項に記載のメディアボード。
【請求項９】
前記読み取り装置で読み取ったイメージデータと前記ＯＣＲ装置により変換されたテキストデータの何れか一方、または双方を前記外部記憶装置に記憶することを特徴とする請求項８に記載のメディアボード。
【発明の詳細な説明】
【技術分野】
【０００１】
本発明は、ボード上に記述した文字や図形をイメージデータとして出力することができるメディアボードに関する。
【背景技術】
【０００２】
従来、会議等においては、説明者が説明内容を実際に手書きして参加者に示すための装置として、いわゆるメディアボードが用いられている。
【０００３】
一般的なメディアボードにおいては、ボード上に描画された内容を消去する前にプリントアウトすることで、後で内容の確認することができるようになっている。
【０００４】
また、この種のメディアボードの一例が、例えば特開平０５−３２７９７１号公報（特許文献１）に開示されている。
【０００５】
この特許文献１に開示されたメディアボードは、メディアボード上に記述された文字や図形をプリントアウトする機能、読み取ったイメージデータを備え付けのフレキシブルディスクに保存する機能を備え、以前に記述した内容が必要になった際にはフレキシブルディスクからの保存したイメージデータを読み込んで表示させるものである。
【０００６】
さらに、他の従来例としては、例えば、特開２００２−１６０４８９号公報（特許文献２）に開示される電子黒板が提案されている。
【０００７】
この特許文献２に開示される電子黒板は、ホワイトボード部に描画した内容をスキャナ部によって読み取り、その読み取った画像を記録装置に保存すると共に、記録装置に保存した画像を読み出して、プロッタ部によりホワイトボード部に描画する機能を有している。
【特許文献１】特開平０５−３２７９７１号公報
【特許文献２】特開２００２−１６０４８９号公報
【発明の開示】
【発明が解決しようとする課題】
【０００８】
上述した従来のメディアボードにおいては、以下に述べるような種々の問題点があった。
【０００９】
従来のメディアボードでは、会議中に直接記述した内容をプリントアウトという形式で保持するが、一度消してしまった内容を再現してメディアボード上に表示するということができないという欠点があった。
【００１０】
また、会議中には以前の記述内容や、電子ファイルとして保存されている情報が必要になるケースが多々あり、その度に資料を見ながらその内容をメディアボード上に手書きで記述する作業が必要となり、このために、会議を効率的に運ぶことができないという問題があった。
【００１１】
また、特許文献１や特許文献２に示される従来のメディアボードでは、ボードに記述した内容をイメージデータとして記憶装置に保存する機能が設けられているが、記憶装置から読み込んで再表示できる内容が、そのメディアボード上で記述された内容に限られるため、上記と同様の問題点を有している。その理由は、読み取ったイメージデータを保存しておくフレキシブルディスク装置などの記憶装置がメディアボードそのものに備え付けであり、外部とのインタフェースがないためである。
【００１２】
本発明の目的は、以上の問題点を鑑み発案されたものであり、既存の電子ファイルとして保存されている内容を表示できるようにすることで、手書きで記述する手間を省くことができるメディアボードを提供することにある。
【課題を解決するための手段】
【００１３】
上記目的を達成する本発明のメディアボードは、文字や図形を手書きによって記述するスクリーンボード部と、前記スクリーンボード部に記述された内容をイメージデータとして読み取る読み取り装置と、前記読み取り装置で読み取ったイメージデータやその他の既存のイメージデータを保存する、ネットワークを介して接続された外部記憶装置と、前記ネットワークを介して前記外部記憶装置から読み出したイメージデータを、前記スクリーンボード部に表示する出力装置とを備えることを特徴とする。
【００１４】
請求項２の本発明のメディアボードは、前記外部記憶装置に対して、前記ネットワークを介してイメージデータの送受信を行うインタフェース部を備えることを特徴とする。
【００１５】
請求項３の本発明のメディアボードは、前記読み取り装置により読み取ったイメージデータの保存、保存されたイメージデータの読み込みによる前記スクリーンボード部への表示を制御する制御装置と、前記制御装置に対して、イメージデータの保存とイメージデータの読み込みを指示する入力装置を備えることを特徴とする。
【００１６】
請求項４の本発明のメディアボードは、前記制御装置が、前記入力装置から入力される、イメージデータの保存又はイメージデータの読み込みの指示、前記外部記憶装置とデータを指定する識別情報に基づいて、前記読み取り装置を制御して読み取ったイメージデータを前記ネットワークを介して前記外部記憶装置に保存し、又は前記ネットワークを介して前記外部記憶装置から読み込んだイメージデータを前記出力装置を制御して前記スクリーンボード部に表示させることを特徴とする。
【００１７】
請求項５の本発明のメディアボードは、前記外部記憶装置が、前記ネットワーク上に接続されたハードディスク装置であることを特徴とする。
【００１８】
請求項６の本発明のメディアボードは、前記スクリーンボード部が、ボードマーカによって直接文字や図形を記述するボード、又はタッチペンを用いて文字や図形を電子的に描画する表示部であることを特徴とする。
【００１９】
請求項７の本発明のメディアボードは、前記読み取り装置が、スキャナ装置であり、前記出力装置が、プロジェクタ装置であることを特徴とする。
【００２０】
請求項８の本発明のメディアボードは、前記読み取り装置で読み取ったイメージデータに基づいて、テキスト部分を識別してテキストデータに変換するＯＣＲ装置を備えることを特徴とする。
【００２１】
請求項９の本発明のメディアボードは、前記読み取り装置で読み取ったイメージデータと前記ＯＣＲ装置により変換されたテキストデータの何れか一方、または双方を前記外部記憶装置に記憶することを特徴とする。
【発明の効果】
【００２２】
本発明によるメディアボードによれば、以下に述べるような優れた効果が得られる。
【００２３】
第１に、外部記憶装置に保存してある既存のファイルの内容をスクリーンボード部上に表示することができるため手書き記述する手間が省け、会議等の効率化が図られる。
【００２４】
第２に、外部記憶装置は外部ネットワークで接続されたどのメディアボードからもアクセス可能であるため、複数のメディアボード間でデータの共有が可能となる。
【実施例１】
【００２５】
以下、本発明の好適な実施例について図面を参照して詳細に説明する。
【００２６】
図１は、本発明の一実施例によるメディアボードの構成を示すブロック図である。
【００２７】
図１に示すように、本実施例によるメディアボード１０は、メディアボード部２０と、制御装置３０と、出力装置４０と、読み取り装置５０と、外部インタフェース部６０と、入力装置７０と、外部記憶装置８０とを備えて構成されている。
【００２８】
スクリーンボード部２０は、出力装置４０からの表示データ（イメージデータ）を表示する機能と、利用者がボードマーカやタッチペン等によって文字や図を記述する機能を有する。
【００２９】
このスクリーンボード部２０は、シート状のスクリーン、ホワイトボード、或いは液晶プロジェクターや液晶ディスプレイ装置等によって実現可能である。
【００３０】
スクリーンボード部２０をシート状のスクリーン又はホワイトボードとした場合には、利用者はボードマーカ等によって直接文字や図形を記述する。また、スクリーンボード部２０を液晶プロジェクターや液晶ディスプレイ装置とした場合には、タッチペンを用いて画面上にタッチして文字や図形を電子的に描画する。
【００３１】
出力装置４０は、制御装置３０からのデータ（イメージデータ）の受信と、スクリーンボード部２０へデータの表示を行うための出力機能を有する。
【００３２】
この出力装置は、スクリーンボード部２０がシート状のスクリーンやホワイトボードである場合には、イメージデータをスクリーンボード部２０に表示するプロジェクタ装置やボード上にデータを描画するプロッタ装置等によって実現される。また、スクリーンボード部２０が、液晶プロジェクターや液晶ディスプレイ装置である場合には、それらを制御してイメージデータを表示する機能を備える。
【００３３】
読み取り装置５０は、スクリーンボード部２０上に記述された内容をイメージデータとして取り込み、制御装置３０へ送信する機能を有する。
【００３４】
この読み取り装置５０は、スクリーンボード部２０がシート状のスクリーンやホワイトボードである場合には、スクリーンボード部２０に記述された文字や図形をイメージデータとして読み取るスキャナ装置によって実現される。
【００３５】
制御装置３０は、上記出力装置４０及び読み取り装置５０の動作を制御するものであり、外部インタフェース部６０を介してデータの受信し、データをスクリーンボード部２０への表示形式に変換する機能、変換したデータを出力装置４０へ送信する機能を有する。
【００３６】
また、制御装置３０は、読込装置５０からのイメージデータを受け取り、外部インタフェース部６０へそのイメージデータを送信する機能を有する。
【００３７】
入力装置７０は、制御装置３０に対してスクリーンボード部２０上のデータの読み取りと外部記憶装置８０への保存、外部記憶装置８０に保存されているデータの読み込みを指示する動作指定と、データの読み込みや保存の対象とする外部記憶装置８０と保存されているファイル９０を指定するためのユーザインタフェース機能を備える。この入力装置７０は、例えば、タッチパネル等によって実現される。
【００３８】
外部インタフェース部６０は、外部ネットワーク１００とデータ通信可能に接続されており、外部ネットワーク１００上に接続された外部記憶装置８０に対するアクセス制御とデータ送受信機能を有する。
【００３９】
外部記憶装置８０は、ハードディスク装置やその他のデータ書き換え可能な記憶装置によって実現され、その種類は特定されない。この外部記憶措置８０は、外部ネットワーク１００を介して複数接続されていてもよい。
【００４０】
この外部記憶装置８０には、メディアボード１０で読み取られたイメージデータの他に、外部ネットワーク１００上の他のメディアボードから送られたイメージデータが保存されると共に、その他、メディアボード以外の装置、例えばコンピュータ装置から外部ネットワーク１００を介して送られるイメージデータがファイルとして保存される。
【００４１】
図２は、本実施例のメディアボード１０の構成例を示す外観図であり、ボード本体枠１５に、スクリーンボード部２０と、その表面を左右に移動してスキャンングすることでスクリーンボード部２０上のデータを読み取る読み取り装置５０と、利用者が操作して読み取りや保存の指示を入力する入力装置７０が配置されている。
【００４２】
次に、上記のように構成される本実施例のメディアボードの動作について図３を参照して詳細に説明する。
【００４３】
利用者は、まず、入力装置７０を操作することにより、読込か保存かの動作を指定すると共に、対象とする外部記憶装置８０とその外部記憶装置８０上のファイル９０を指定する（ステップ３０１）。外部記憶措置８０とファイル９０の指定は、当該外部記憶装置８０とファイル９０に付与されている識別情報（名称等）によって行う。
【００４４】
入力装置７０からは、入力された動作の指定、指定された外部記憶装置８０、ファイル９０の情報が制御装置３０へ送信される（ステップ３０２）。
【００４５】
制御装置３０は、入力装置７０からの情報により、読込か保存かを識別して以下の動作を行う（ステップ３０３）。
【００４６】
ステップ３０３で、指定された動作が読込の場合には以下の動作が実行される。
【００４７】
制御装置３０は、外部インタフェース部６０に対して外部記憶装置８０とファイル９０を識別する識別情報（装置名、ファイル名等）を送信する（ステップ３０４）。
【００４８】
外部インタフェース部６０は、指定された外部記憶装置８０へアクセスし、対象となるファイル９０のデータを受信し、制御装置３０へファイル９０を送信する（ステップ３０５）。
【００４９】
制御装置３０は、外部インタフェース部６０から受信したファイル９０のデータをイメージデータの形式に変換し、出力装置４０へ送信する（ステップ３０６）。
【００５０】
制御装置３０からイメージデータを受信した出力装置４０は、スクリーンボード２０に対してイメージデータを表示する（ステップ３０７）。
【００５１】
ステップ３０３で、指定された動作が保存の場合には以下の動作が実行される。
【００５２】
制御装置３０は、読み取り装置５０に対してスクリーンボード部２０上のデータの読み取りを行う指示を出す（ステップ３０８）。
【００５３】
指示を受けた読み取り装置５０は、スクリーンボード部２０上に記述された文字や図形をイメージデータとしてスキャニングし、制御装置３０へそのイメージデータを送信する（ステップ３０９）。
【００５４】
イメージデータを受け取った制御装置３０は、入力装置７０で利用者から指定された外部記憶装置８０とファイル９０を識別する識別情報に、読み取り装置５０からのイメージデータを付加することにより、外部インタフェース部６０へ送信する（ステップ３１０）。
【００５５】
外部インタフェース部６０は、外部ネットワーク１００を介して指定された外部記憶装置８０へアクセスし、制御装置３０から受け取ったイメージデータを、指定された識別情報（ファイル名）を付与することにより、ファイル９０として保存する（ステップ３１１）。
【００５６】
本実施例のメディアボードは、上記ように構成されかつ動作することにより、外部記憶装置８０に保存してある既存のファイルの内容をスクリーンボード部２０上に表示することができるため手書き記述する手間が省け、会議等の効率化が図られる。
【００５７】
また、外部記憶装置８０は外部ネットワーク１００で接続されたどのメディアボードからもアクセス可能であるため、複数のメディアボード間でデータの共有が可能となる。
【実施例２】
【００５８】
上記実施例では、スクリーンボード部２０から読み取り装置５０で読み取ったイメージデータを外部記憶装置８０にファイル９０として保存する場合を説明したが、図４に示すように、読み取り装置５０で読み取ったイメージデータに基づいて、テキスト部分を識別してテキストデータに変換するＯＣＲ装置１１０を設け、外部記憶装置８０へテキストデータとして保存することも可能である。
【００５９】
このＯＣＲ装置１１０は、制御装置３０によって制御され、読み取り装置５０で読み取られたイメージデータをテキストデータに変換する。イメージデータ又はテキストデータとして保存するか、或いは双方のデータを保存するかは、入力装置７０からの指定によって制御装置３０によって制御される。
【００６０】
この場合、外部記憶装置８０に保存されたテキストデータを、外部ネットワーク１００上に接続されたコンピュータ装置等で読み込むことにより、文書作成のデータとして利用することが可能となる。
【００６１】
また、読み取り装置５０で読み取ったイメージデータをプリントアウトするプリンタ装置や、そのイメージデータをフレキシブルディスク等のメディアに保存するための装置を備えることも可能である。
【００６２】
以上、好ましい実施例をあげて本発明を説明したが、本発明は必ずしも上記実施例に限定されるものではない。本発明の要旨を逸脱しない範囲内において種々の変形が可能であることは言うまでもない。
【図面の簡単な説明】
【００６３】
【図１】本発明の実施例によるメディアボードの構成を示すブロック図である。
【図２】本発明の実施例によるメディアボードの具体的な構成例を示す外観図である。
【図３】本発明の実施例によるメディアボードの動作を説明するフローチャートである。
【図４】本発明の他の実施例によるメディアボードの構成を示すブロック図である。
【符号の説明】
【００６４】
１０：メディアボード
１５：本体枠
２０：スクリーンボード部
３０：制御装置
４０：出力装置
５０：読み取り装置
６０：外部インタフェース部
７０：入力装置
８０：外部記憶装置
９０：ファイル
１００：外部ネットワーク
１１０：ＯＣＲ装置
【図１】
2005268992.tif 000003
【図２】
2005268992.tif 000004
【図３】
2005268992.tif 000005
【図４】
2005268992.tif 000006